(57)【要約】【課題】表示パネルの画面を拡大可能のレンズを、不要時は収納可能に設けて携帯性を損なわないようにした。【解決手段】結像される被写体像を読み取って画像信号を得る固体撮像素子３を備え、撮影操作に応じたタイミングで該固体撮像素子３で読み取った画像信号を記録するデジタルカメラにおいて、カメラボディ１と、該カメラボディ１の前面に設けられている、前記固体撮像素子３上に被写体を結像する撮影レンズ２と、該カメラボディ１の後面の、前記固体撮像素子３で作られる結像に基づく画像を表示する表示パネル４と、前記表示パネル４の画面を拡大する正のパワーを持つレンズ５が、前記表示パネル４に近接した収納位置と、前記表示パネル４から隔離した目視位置とに移動可能に取り付けられたレンズ保持機構６とを備えた。【選択図】        図１
2004163591.tif 000002
【特許請求の範囲】
【請求項１】
結像される被写体像を読み取って画像信号を得る固体撮像素子を備え、撮影操作に応じたタイミングで該固体撮像素子で読み取った画像信号を記録するデジタルカメラにおいて、
カメラボディと、
該カメラボディの前面に設けられている、前記固体撮像素子上に被写体を結像する撮影レンズと、
該カメラボディの後面の、前記固体撮像素子で作られる結像に基づく画像を表示する表示パネルと、
前記表示パネルの画面を拡大する正のパワーを持つレンズを保持し、前記表示パネルに近接した収納位置と、前記表示パネルから隔離した目視位置とに移動可能に取り付けられたレンズ保持機構とを備えたことを特徴とするデジタルカメラ。
【請求項２】
前記レンズ保持機構は、前記レンズが固着され、前記カメラボディの背後に出没自在のガイドロッドであることを特徴とする請求項１記載のデジタルカメラ。
【請求項３】
前記レンズ保持機構は、前記レンズが前端部に取り付けられ、後端部が前記表示パネルの周りに取り付けられた蛇腹であることを特徴とする請求項１記載のデジタルカメラ。
【請求項４】
前記レンズはフレネルレンズであることを特徴とする請求項１記載のデジタルカメラ。
【請求項５】
結像される被写体像を読み取って画像信号を得る固体撮像素子を備え、撮影操作に応じたタイミングで該固体撮像素子で読み取った画像信号を記録するデジタルカメラにおいて、
カメラボディと、
該カメラボディの前面に設けられている、前記固体撮像素子上に被写体を結像する撮影レンズと、
該カメラボディの後面の、前記固体撮像素子で作られる結像に基づく画像を表示する表示パネルと、
前記表示パネルの画面を拡大する正のパワーを持つレンズを保持し、前記表示パネルから隔離した目視位置に着脱可能に取り付けられたレンズ着脱機構とを備えたことを特徴とするデジタルカメラ。
【請求項６】
前記レンズはフレネルレンズであることを特徴とする請求項５記載のデジタルカメラ。
【発明の詳細な説明】
【０００１】
【発明の属する技術分野】
本発明は、カメラボディの背面に液晶による表示パネルを有するデジタルカメラに関する。
【０００２】
【従来の技術】
従来のデジタルカメラにおいて、液晶表示パネル（ＬＣＤ画面）全体への外部光の入射を遮断して、日差しの強い所でもＬＣＤ画面の表示が確実に見えるようにした技術がある（例えば、特許文献１参照）。すなわち、この特許文献１にはＬＣＤ画面の表示部を被うフードが取り付けられ、このフードに接眼レンズを取り付けている。これにより、外部光の遮蔽とＬＣＤ画面の拡大を実現している。
【０００３】
【特許文献１】
特開平１０−１８６４５８号公報
【０００４】
【発明が解決しようとする課題】
特許文献１に示すように、ＬＣＤ表示パネルを拡大するため、レンズ付きのフードを取り付けた構造のものは、フードの部分がカメラボディの背後に常に突出した状態であるため、フードが邪魔になり、携帯性を損なうという問題がある。
【０００５】
本発明は、上記事情に鑑み、表示パネルの画面を拡大可能のレンズを、不要時は収納可能に設けて携帯性を損なわないようにしたデジタルカメラを提供することを目的とする。
【０００６】
【課題を解決するための手段】
上記目的を達成する本発明のデジタルカメラは、結像される被写体像を読み取って画像信号を得る固体撮像素子を備え、撮影操作に応じたタイミングで該固体撮像素子で読み取った画像信号を記録するデジタルカメラにおいて、
カメラボディと、
該カメラボディの前面に設けられている、前記固体撮像素子上に被写体を結像する撮影レンズと、
該カメラボディの後面の、前記固体撮像素子で作られる結像に基づく画像を表示する表示パネルと、
前記表示パネルの画面を拡大する正のパワーを持つレンズを保持し、前記表示パネルに近接した収納位置と、前記表示パネルから隔離した目視位置とに移動可能に取り付けられたレンズ保持機構とを備えたことを特徴とする。
【０００７】
本発明のデジタルカメラでは、表示パネルを見るときは、レンズを表示パネルから隔離した位置に引き出して、表示パネルの画面を拡大した状態で見ることができる。そして、携帯時等においては、レンズを表示パネルに近接または接触した状態に移動させ、カメラボディからほとんど突出せず、邪魔にならない収納状態とする。
【０００８】
前記レンズ保持機構は、前記レンズが先端に取り付けられ、前記カメラボディの背後に出没自在のガイドロッドとすることができる。
【０００９】
また、前記レンズ保持機構は、前記レンズが前端部に取り付けられ、後端部が前記表示パネルの周りに取り付けられた蛇腹とすることができる。
【００１０】
さらにまた、前記レンズとしてフレネルレンズを用いることができる。
【００１１】
本発明のデジタルカメラは、結像される被写体像を読み取って画像信号を得る固体撮像素子を備え、撮影操作に応じたタイミングで該固体撮像素子で読み取った画像信号を記録するデジタルカメラにおいて、
カメラボディと、
該カメラボディの前面に設けられている、前記固体撮像素子上に被写体を結像する撮影レンズと、
該カメラボディの後面の、前記固体撮像素子で作られる結像に基づく画像を表示する表示パネルと、
前記表示パネルの画面を拡大する正のパワーを持つレンズを保持し、前記表示パネルから隔離した目視位置に着脱可能に取り付けられたレンズ着脱機構とを備えたことを特徴とする。
【００１２】
本発明のデジタルカメラでは、表示パネルを見るときは、レンズを表示パネルから隔離した位置に装着して表示パネルの画面を拡大した状態で見ることができる。そして、携帯時等においては、レンズを取り外して邪魔にならないようにする。
【００１３】
【発明の実施の形態】
以下、本発明の実施形態について説明する。
【００１４】
図１は、本発明の実施形態１に係わるデジタルカメラの背面側から見た斜視図、図２は縦断側面図である。
【００１５】
各図において、本実施形態のデジタルカメラは、カメラボディ１と、このカメラボディ１の前面の略中央に設けられている撮影レンズ２と、この撮影レンズ２で結像される被写体像を読み取って画像信号を得る固体撮像素子３と、カメラボディ１の後面に設けられ、固体撮像素子３で得られた画像信号に基づく画像を表示する液晶の表示パネル４とを備えている。
【００１６】
上記表示パネル４の画面を拡大するための正のパワーを持つ平板状のレンズ５が、表示パネル４を覆うように取り付けられている。このようなレンズ５としては、例えば、凸レンズあるいはフレネルレンズが用いられる。
【００１７】
図１および図２に示すように、レンズ５はレンズ保持機構１０によりカメラボディ１の後面に保持されている。この保持機構１０は、レンズ５を固定した４本のガイドロッド６と、カメラボディ１に形成され、このガイドロッド６を摺動自在に保持するガイド孔７とで構成されている。なお、ガイドロッド６の先端にはストッパ６ａが設けられ、このストッパ６ａがガイド孔７の端部の係止部８に係止されて抜け落ちを防止している。
【００１８】
上記構成により、表示パネル４を見るときは、図２（ａ）に示すように、レンズ５を表示パネル４から隔離した位置に引き出して、表示パネル４の画面を拡大した状態で見ることができる。そして、携帯時等においては、図２（ｂ）に示すように、レンズ５を押し込んで表示パネル４に近接または接触した状態に移動させ、カメラボディ１からほとんど突出せず、邪魔にならない収納状態とすることができる。
【００１９】
図３に示す実施形態２では、保持機構１０は蛇腹９で構成されている。すなわち、蛇腹９の後端部にレンズ５を取り付け、蛇腹９の先端部を表示パネル４の周囲の凹部１１に取り付けている。表示パネル４を見るときは、レンズ５を表示パネル４から隔離した位置に引き出して、表示パネル４の画面を拡大した状態で見ることができる。そして、携帯時等においては、表示パネル４に近接または接触した鎖線の位置に移動させ、邪魔にならない収納状態とすることができる。
【００２０】
図４に示す第３実施形態では、レンズ５はカメラボディ１に対して着脱機構１４を介して着脱可能可能に構成している。図示の例では、レンズ５に着脱ロッド１２を固着し、このロッド１２をカメラボディ１に形成した取付孔１３に挿入または抜取る構成である。
【００２１】
表示パネル４を見るときは、着脱ロッド１２を取付孔１３に挿入し、表示パネル４の画面を拡大した状態で見ることができる。そして、携帯時等においては、着脱ロッド１２を取付孔１３から抜取ってレンズ５をカメラボディ１から取り外して邪魔にならない状態とすることができる。この実施形態３におけるレンズ着脱機構は、着脱ロッド１２に限定されず、例えば、引っ掛け金具、弾性係止機構、マグネット等所望の機構を使用することができる。
【００２２】
【発明の効果】
以上、説明したように、本発明によれば、表示パネルの画面を拡大する正のパワーを持つレンズを表示パネルに近接した収納位置と、表示パネルから隔離した目視位置とに移動可能のレンズ保持機構を介して取り付けたので、表示パネルを見るときは、レンズを表示パネルから隔離した位置に引き出して画面を拡大した状態で見ると共に、撮影時、携帯時等においては、レンズをカメラボディから突出せず、邪魔にならない状態に収納することができる。
【００２３】
また、本発明によれば、表示パネルの画面を拡大する正のパワーを持つレンズを表示パネルから隔離した目視位置に着脱可能に取り付けたので、表示パネルを見るときは、レンズを取り付け、携帯時等においては、取り外して邪魔にならないようにすることができる。
【図面の簡単な説明】
【図１】本発明の実施形態１に係わるデジタルカメラの背面側から見た斜視図である。
【図２】実施形態１に係わるデジタルカメラの、（ａ）は目視状態、（ｂ）は収納状態の縦断側面図である。
【図３】本発明の実施形態２に係わるデジタルカメラの縦断側面図である。
【図４】本発明の実施形態３に係わるデジタルカメラの縦断側面図である。
【符号の説明】
１    カメラボディ
２    撮影レンズ
３    固体撮像素子
４    表示パネル
５    レンズ
６    ガイドロッド
９    蛇腹
１０    レンズ保持機構
１４    レンズ着脱機構
【図１】
2004163591.tif 000003
【図２】
2004163591.tif 000004
【図３】
2004163591.tif 000005
【図４】
2004163591.tif 000006